(57)【要約】【課題】使用による局部の磨耗を防ぎ、定位の効果に優れる構造を具有するレンチの復位構造を提供する。【解決手段】本考案のレンチの復位構造は、レンチの一端のソケット１０内部に駆動部２０、切換構造３０及び接触定位部４０を収容し、該切換構造３０には制御端３１及び接触端３２を設け、該制御端３１で該接触端３２を操作して移動方向を制御し、また、該接触端３２を該ソケット１０と該駆動部２０により形成される半月型の契合空間２３内に設置することで、該接触定位部４０を制御して該駆動部２０の復位方向を決定し、また、該契合空間２３内に設置されて移動並びに定位する該接触定位部４０においては、一端の半径が大きく、もう一端へ向かって半径が縮小する形状を呈した略円錐形とすることを特徴とする。【選択図】  図１
0003123426.tif 000002
【実用新案登録請求の範囲】
【請求項１】
ソケット内部に駆動部と切換構造を具有し、該切換構造及び略円錐形を呈する接触定位部により該駆動部の復位方向を制限することを特徴とするレンチの復位構造。
【請求項２】
該略円錐形の接触定位部において、縦方向に延伸する長さの一部は定位強化部を形成することを特徴とする請求項１記載のレンチの復位構造。
【請求項３】
該駆動部とソケットは一体となって該接触定位部に対応する契合空間を形成し、該接触定位部は該切換構造の連動を受け、該契合空間と接触して圧制を受けて定位され、復位の方向を制御する効果を達成することを特徴とする請求項１或いは２記載のレンチの復位構造。
【請求項４】
該接触定位部は該切換構造により移動の方向が制御され、該契合空間の片側にて定位されることを特徴とする請求項３記載のレンチの復位構造。
【考案の詳細な説明】
【技術分野】
【０００１】
本考案はレンチの復位の構造に係り、特に略円錐形を呈した接触定位部をレンチの復位及び定位の構造としたレンチの復位構造に関わる。
【背景技術】
【０００２】
レンチという工具は構造が簡単で安価、また操作も簡単で使いやすい等の多くの利点を具有する道具である。よって家庭や工場、或いは個人や会社等の幅広い目的と場所で使用されている。また、台湾は多くの工具を生産しており、種類や構造、また品質においても世界でトップレベルにあると言える。特に近年では一般の人々が個人用として操作が容易で機能性の高い工具を買い求める傾向がある。
特に復位機能を具有するレンチにおいては作業効率がよく使いやすいことから、市場の主流を占めるようになっており、中でも特にギアを具有せず且つ復位機能を具有するレンチは、ノイズがなくまたギアの制限を受けない等の利点から、近年では工具業界で最も研究開発の進められる対象となっている。一般のギアを有するレンチにおいては主に円柱体を復位の構造としており、駆動部とソケットの内壁に契合して定位し、該円柱体が緊密に契合することにより復位の方向を制御する目的が達成されている。
【特許文献１】実用新案登録第３１１４１０９号
【考案の開示】
【考案が解決しようとする課題】
【０００３】
上述のギアを有するレンチにおける復位構造としての円柱体は、全体の半径が等しいことから定位の効果がやや劣り、固定しなければならない際にずれやすく、また使用を重ねることで該円柱体はある特定の場所が磨耗し易く、一端磨耗してしまうと修復不可能等の欠点がある。
そこで上述の欠点に鑑み、効果的に製品の寿命を延命すべく使用による局部の磨耗を防ぎ、定位の効果に優れる構造を具有する本考案のレンチの復位構造を提供する。
【課題を解決するための手段】
【０００４】
上記課題を解決するために、本考案は、下記の特徴を有するレンチの復位構造を提供する。
１．請求項１に記載のレンチの復位構造は、ソケット内部に駆動部と切換構造を具有し、該切換構造及び略円錐形を呈する接触定位部により該駆動部の復位方向を制限することを特徴とする。
２．請求項２に記載のレンチの復位構造は、請求項１の場合において、
該略円錐形の接触定位部において、縦方向に延伸する長さの一部は定位強化部を形成することを特徴とする。
３．請求項３に記載のレンチの復位構造は、請求項１或いは２の場合において、
該駆動部とソケットは一体となって該接触定位部に対応する契合空間を形成し、該接触定位部は該切換構造の連動を受け、該契合空間と接触して圧制を受けて定位され、復位の方向を制御する効果を達成することを特徴とする。
４．請求項４に記載のレンチの復位構造は、請求項３の場合において、
該接触定位部は該切換構造により移動の方向が制御され、該契合空間の片側にて定位されることを特徴とする。
【考案の効果】
【０００５】
本考案によると、使用に便利な構造はそのままに、接触定位部の形状を略円錐形とし、該接触定位部が３６０度回転して移動することで定位の位置が局部に限定されないことにより、公知のような磨耗による定位効果の劣りが解消され、定位の効果を高めることに成功した。
【考案を実施するための最良の形態】
【０００６】
図１，２に示すように、本考案はギア無しのレンチの構造に係り、該レンチの復位構造にはレンチの一端にソケット１０を具有し、該ソケット１０内には収容空間１０１が形成され、該収容空間１０１とは駆動部２０と切換構造３０及び略円錐形を呈した接触定位部４０を収容する個所となっている。
該駆動部２０は外蓋５１とリング５２により該ソケット１０の収容空間１０１に定位されており、且つ該駆動部２０の縦軸方向の一端には力をかけて回転するためのカバーやその他の部品を設ける駆動ブロック２１が設けられ、該駆動ブロック２０の側面にはやや傾斜した契合面２２が設けられ、該契合面２２は該ソケット１０の収容空間１０１内壁と共に略三日月形の契合空間２３を形成し、接触定位部４０を設置する個所を提供する。該駆動部２０内は切換構造３０を具有し、該切換構造３０は該ソケット１０外の制御端３１より露出し、該ソケット１０内の接触端３２に設置される。使用者が該制御端３１により接触端３２の作動を操作し、該切換構造３０の接触端３２は該契合空間２３内の接触定位部４０と接触し、使用者が該切換構造３０の制御端３１により、該接触端３２を操作して該接触定位部４０を回転移動させ、該駆動部２０の復位の目的を達成する（完成の様子は図２参照）。該切換構造３０の作動方式と原理は公知の技術を応用したものであることから、ここでは敢えて詳細を記さない。
【０００７】
図３から図１２に示すように、該接触定位部４０は詳細には一端の半径が大きく、もう一端に向かって半径が小さくなる略円錐形を呈しており、また該契合空間２３においては該駆動部２０の契合面２２及びソケット１０の収容空間１０１内壁とより形成され、該契合空間２３は接触定位部４０の形状に合わせた設計であり、該契合空間２３上端の収容空間１０１内壁及び該契合空間２３下端の駆動部２０の契合面２２は皆傾斜した形態を呈しており、これにより略円錐状を呈した接触定位部４０を精確に該契合空間２３内の定位置に設置することができ、該接触定位部４０と該契合空間２３の接触面がぴたりと合い、これにより復位の精確さを高める。
【０００８】
図３に示すように、該接触定位部４０が該切換構造３０の接触と押しを受け、左側へ移動して該契合空間２３の比較的狭い個所に至るとき、該駆動部２０は時計回りの方向で回転し、該接触定位部４０の接触と押しを受けて復位できなくなり、回転させようとする目的物を回転させることができる状態となる。逆に時計と逆周りの方向に回転すると、該接触定位部４０は該契合空間２３中央の比較的広い位置にまで戻り、これにより復位の効果を達成する。
【０００９】
また図５に示すように、使用者が復位の方向を切り替えたい場合は、該切換構造３０の制御端３１を押すだけで、該切換構造３０の接触端３２が該接触定位部４０の移動方向を変えるので、これにより復位の方向を切り替えることができる。
【００１０】
図６に示すように、該接触定位部４０が該切換構造３０の接触端３２の接触と押しを受け、右側に移動して該契合空間２３の狭い個所にまで至ると、該駆動部２０が時計と逆方向に回転し、該接触定位部４０により定位されて復位できなくなり、回転させようとする目的物を回転させることができる状態となる。逆に時計周りの方向に回転すると、該接触定位部４０が該契合空間２３中央の比較的広い位置にまで戻り、これにより復位の効果を達成する。
【００１１】
本考案の接触定位部４０は図９から図１１に示すように、復位時は該駆動部２０及び切換構造３０に連動して該ソケット１０の収容空間１０１内の契合空間２３に沿って３６０度の回転をする、即ち該回転により該接触定位部４０の力を受ける個所が随時変わり、応力が局部に集中することによる損傷や断裂等の状況を回避し、製品の寿命を延ばす効果を提供する。
【００１２】
また図１２に示すように、該接触定位部４０は略円錐形を呈しており、且つ該契合空間２３の収容空間１０１内壁、及び該駆動部２０の契合面２２もこれに対応して傾斜がついており、よって該接触定位部４０が該契合空間２３にて定位されるとき、該契合空間２３の接触面とは平行を保ち、優れた定位状態を提供する。
【００１３】
該接触定位部４０と該契合空間２３は相互に接触並びに押し合うことから使用することにより磨耗した場合、該接触定位部４０はその形状が一端の半径が小さくもう一端へ向かって半径が大きくなる構造を呈していることから該契合空間２３の半径が小さい側へ向かって移動するため、該接触定位部４０と契合空間２３とが密着した状態を保ち続ける、即ち修正の効果が達成され、使用における寿命を延ばす効果が提供される。
【００１４】
図１３から図２０に示すように、本考案における第二実施例であるが、部品は上述の実施例と等しいため構造について以下に記す。
該接触定位部４０と該契合空間２３の相互の定位効果を更に高めるべく、一端の半径が大きく、もう一端に向かって半径が小さくなる略円錐形を呈した該接触定位部４０において、半径の大きい側に円柱形を呈した定位強化部４１を増設し、該接触定位部４０定位の効果を妨げない状況下、該円柱形の定位強化部４１と該接触定位部４０とにより該接触定位部４０に対して縦軸上の変化を増加させることにより、該接触定位部４０と該契合空間２３が接触する面を平行に保ち、該接触定位部４０の定位強化部４１の設置により該接触定位部４０の定位効果を高めるが、図１５から図１８に示すように、該接触定位部４０に定位強化部４１を増設した後も第一実施例同様に駆動部の復位方向の切換を行う効果も提供する。
【図面の簡単な説明】
【００１５】
【図１】本考案の立体分解図である。
【図２】本考案の立体投影図である。
【図３】本考案が逆方向で復位する状態を示す断面図である。
【図４】図３の線ＡＢによる断面図である。
【図５】本考案の切換状態を示す断面図である。
【図６】本考案が正方向で復位する状態を示す断面図である。
【図７】図６の線ＡＢによる断面図である。
【図８】接触定位部の復位時に３６０度回転する動作を示す断面図（１）である。
【図９】接触定位部の復位時に３６０度回転する動作を示す断面図（２）である。
【図１０】接触定位部の復位時に３６０度回転する動作を示す断面図（３）である。
【図１１】接触定位部の復位時に３６０度回転する動作を示す断面図（４）である。
【図１２】接触定位部と契合空間の断面図である。
【図１３】本考案の第二実施例を示す立体分解図である。
【図１４】本考案の第二実施例を示す立体透視図である。
【図１５】本考案の第二実施例であり、逆方向で復位する状態を示す断面図である。
【図１６】図１５の線ＡＢによる断面図である。
【図１７】本考案の第二実施例であり、切換状態を示す断面図である。
【図１８】本考案の第二実施例であり、正方向で復位する状態を示す断面図である。
【図１９】図１８の線ＡＢによる断面図である。
【図２０】本考案の第二実施例における接触定位部と契合空間の断面図である。
【符号の説明】
【００１６】
１０  ソケット
１０１  収容空間
２０  駆動部
２１  駆動ブロック
２２  契合面
２３  契合空間
３０  切換構造
３１  制御端
３２  接触端
４０  接触定位部
４１  定位強化部
５１  外蓋
５２  リング
【図１】
0003123426.tif 000003
【図２】
0003123426.tif 000004
【図３】
0003123426.tif 000005
【図４】
0003123426.tif 000006
【図５】
0003123426.tif 000007
【図６】
0003123426.tif 000008
【図７】
0003123426.tif 000009
【図８】
0003123426.tif 000010
【図９】
0003123426.tif 000011
【図１０】
0003123426.tif 000012
【図１１】
0003123426.tif 000013
【図１２】
0003123426.tif 000014
【図１３】
0003123426.tif 000015
【図１４】
0003123426.tif 000016
【図１５】
0003123426.tif 000017
【図１６】
0003123426.tif 000018
【図１７】
0003123426.tif 000019
【図１８】
0003123426.tif 000020
【図１９】
0003123426.tif 000021
【図２０】
0003123426.tif 000022